(57)【特許請求の範囲】
【請求項１】
ポンプ光を生成するポンプ源と、
ポンプ光に基づいて増幅誘導放出を生成するドープファイバーと、
ポンプ源からのポンプ光を受け取り、ポンプ光をドープファイバーに送信し、ドープファイバーからの増幅誘導放出を送信し、ポンプ光と増幅誘導放出の位相条件を用いてポンプ光と増幅誘導放出を隔離する２ｘ２のファイバーカップラーと、
ポンプ源と２ｘ２のファイバーカップラーとの間に位置して増幅誘導放出がポンプ源に侵入するのを防ぐ隔離器と、
ドープファイバーによって生成された増幅誘導放出の波長を実質的にロックするために増幅誘導放出の一部をドープファイバーに戻し反射するフィードバック反射器と、
を備え、
前記２ｘ２のファイバーカップラーは、
ポンプ源からのポンプ光を受ける第１のポートと、
第１のポートからのポンプ光をドープファイバーに送信するとともに、ドープファイバーから増幅誘導放出を受ける第２のポートと、
ドープファイバーから増幅誘導放出を受け、第１のポートからのポンプ光をドープファイバーに送信する第３のポートと、
増幅誘導放出を送信するとともに、増幅誘導放出の該一部を受信する第４のポートと、を備え、
ドープファイバーの第１のエンドは第２のポートと結合され、ドープファイバーの第２のエンドは第３のポートと結合されて、第１のポートからのポンプ光及び第４のポートからの増幅誘導放出の該一部に関して相反のための干渉計ループを形成し、
ドープファイバーに送信された反対方向伝搬のポンプ光は第１のポートで建設的に第４のポートで破壊的に干渉し、ドープファイバーに送信された反対方向伝搬の増幅誘導放出の該一部は第４のポートで建設的に、第１のポートで破壊的に干渉し、
該隔離器は、該第１のポートと該ポンプ源との間に位置し、
該フィードバック反射器は、増幅誘導放出の該一部が該第４のポートに入射して該第２のポート及び該第３のポートを出射するように、該第４のポートに接続され、
増幅誘導放出の該一部は、該第４のポートを相反原理に従って出射する増幅誘導放出を提供するソース。
【請求項２】
前記ドープファイバーは、エルビウムを添加したファイバー（希土類添加ファイバー）を備える請求項１記載の増幅誘導放出を提供するソース。
【請求項３】
前記２ｘ２のファイバーカップラーは、２ｘ２の融合したファイバーカップラーを有している請求項２記載の増幅誘導放出を提供するソース。
【請求項４】
ブラッググレーティングを有し、
該ブラッググレーティングは、２ｘ２のファイバーカップラーから増幅誘導放出を受けるとともに、２ｘ２のファイバーカップラーを通過したいかなるポンプ光の送信も禁止する請求項１記載の増幅誘導放出を提供するソース。
【請求項５】
該フィードバック反射器は、該ドープファイバーによって生成された該増幅誘導放出の周波数と位相を、該増幅誘導放出の該一部の周波数と位相に実質的にロックするために、該増幅誘導放出の該一部をパイロットシグナルとして該ドープファイバーに戻し反射する請求項１記載の増幅誘導放出を提供するソース。
【請求項６】
該パイロットシグナルを生成するために該フィードバック反射器の波長特性に対する反射がなされる請求項５記載の増幅誘導放出を提供するソース。
【請求項７】
バンドパスフィルターを有し、
該バンドパスフィルターは、該２ｘ２のファイバーカップラーから増幅誘導放出を受けるとともに、該２ｘ２のファイバーカップラーを通過したいかなるポンプ光も取り除く請求項１記載の増幅誘導放出を提供するソース。
【請求項８】
ポンプ光を生成するポンプ源と、
ポンプ光に基づいて増幅誘導放出を生成するドープファイバーと、
ポンプ源からのポンプ光を受け取り、ポンプ光をドープファイバーに送信し、ドープファイバーからの増幅誘導放出を送信し、位相条件を用いてポンプ光と増幅誘導放出を隔離する２ｘ２のファイバーカップラーと、
ポンプ源と２ｘ２のファイバーカップラーとの間に位置して増幅誘導放出がポンプ源に侵入するのを防ぐポンプ隔離器と、
ドープファイバーによって生成された増幅誘導放出の波長を実質的にロックするために増幅誘導放出の一部をドープファイバーに戻し反射するフィードバック反射器と、
増幅誘導放出を使用してパラメータを感知するセンサーと、
を備え、
前記２ｘ２のファイバーカップラーは、
ポンプ源からのポンプ光を受ける第１のポートと、
第１のポートからのポンプ光をドープファイバーに送信するとともに、ドープファイバーから増幅誘導放出を受ける第２のポートと、
ドープファイバーから増幅誘導放出を受け、第１のポートからのポンプ光をドープファイバーに送信する第３のポートと、
増幅誘導放出を送信し、増幅誘導放出の該一部を受信する第４のポートと、
を備え、
ドープファイバーの第１のエンドは第２のポートと結合され、ドープファイバーの第２のエンドは第３のポートと結合されて、第１のポートからのポンプ光および第４のポートからの増幅誘導放出の該一部に関して相反のための干渉計ループを形成し、
ドープファイバーに送信された反対方向伝搬のポンプ光は第１のポートで建設的に第４のポートで破壊的に干渉し、ドープファイバーに送信された反対方向伝搬の増幅誘導放出の該一部は第４のポートで建設的に、第１のポートで破壊的に干渉し、
該フィードバック反射器は、増幅誘導放出の該一部が該第４のポートに入射して該第２のポート及び該第３のポートを出射するように、該第４のポートに接続され、
増幅誘導放出の該一部は、該第３のポートから該第４のポートを通って相反原理に従って出射する増幅誘導放出を提供するシステム。
【請求項９】
前記センサーは、ファイバー型の光ジャイロスコープである請求項８記載の増幅誘導放出を提供するシステム。
【請求項１０】
ブラッググレーティングを有し、
該ブラッググレーティングは、該２ｘ２のファイバーカップラーから増幅誘導放出を受けるとともに、該２ｘ２のファイバーカップラーを通過したいかなるポンプ光の送信も禁止する請求項９記載の増幅誘導放出を提供するシステム。
【請求項１１】
該ブラッググレーティングは反射型のブラッググレーティングを有し、
該反射型のブラッググレーティングは、ドープファイバーに増幅誘導放出の該一部を戻し反射する請求項１０記載の増幅誘導放出を提供するシステム。
【請求項１２】
バンドパスフィルターを有し、
該バンドパスフィルターは、該２ｘ２のファイバーカップラーから増幅誘導放出を受けるとともに、増幅誘導放出の望ましい波長以外のいかなる光も取り除く請求項１０記載の増幅誘導放出を提供するシステム。
【請求項１３】
ポンプ光を生成するステップと、
ポンプ光を２ｘ２のファイバーカップラーの第１のポートを通して該２ｘ２のファイバーカップラーの第２のポート及び第３のポートの外のドープファイバーに送信するステップと、ここでドープファイバーの第１のエンドは第２のポートと結合され、ドープファイバーの第２のエンドは第３のポートと結合されており、
ポンプ光に基づきドープファイバーによって増幅誘導放出を生成するステップと、
該２ｘ２のファイバーカップラーの第３のポートを通して該２ｘ２のファイバーカップラーの第４のポートの外に増幅誘導放出を送信するステップと、
該第４のポートからの増幅誘導放出の一部を、反射型ブラッググレーティングを用いて、該第４のポート並びに該第２及び該第３のポートを通して該２ｘ２のファイバーカップラーを経て該ドープファイバーへと戻し反射することにより、該ドープファイバーによって生成された該増幅誘導放出の周波数及び位相を該増幅誘導放出の該一部の周波数及び位相に実質的にロックするステップと、
ここで該ドープファイバーは該第１のポートからのポンプ光及び該第４のポートからの増幅誘導放出の該一部に関して相反のための干渉計ループを形成するものであり、
ドープファイバーに送信された反対方向伝搬のポンプ光を該第１のポートで建設的に該第４のポートで破壊的に干渉させ、ドープファイバーに送信された反対方向伝搬の該増幅誘導放出の該一部を該第４のポートで建設的に該第１のポートで破壊的に干渉させることにより、該増幅誘導放出の該一部は該第４のポートを通って相反原理に従って出射するものである、
を含む増幅誘導放出を生成する方法。
【請求項１４】
前記ドープファイバーは、エルビウムドープファイバーを備える請求項１３記載の増幅誘導放出を提供する方法。
【発明の詳細な説明】
【０００１】
【発明の属する技術分野】
本発明は、カップラー機構を用いて増幅誘導放出（ＡＳＥ：Amplified Stimulated Emission）を生成するソース、システムおよび方法に係わり、特に、ファイバー型の光ジャイロスコープを使用し、カップラー機構によってドープファイバーのようなドープ素子に流入するポンプ光とドープファイバーから離れる増幅誘導放出（ＡＳＥ）とを隔離するソースおよび方法に関する。
【０００２】
【従来の技術】
多くのセンサーおよび通信装置は、安定した平均的な波長の増幅誘導放出ソースを必要としている。その波長は駆動レンジで適切に動作し、時間的にも温度的にも安定していることが要求される。
典型的な広帯域のソース（ブロードバンドソース）では、ＷＤＭ（波長分割回線多重化装置：波長分割マルチプレクサ、以下、ＷＤＭ）が、ある長さのＥＤＦ（エルビウムでドーピングされたファイバー：エルビウム添加ファイバー）によって発生された増幅誘導放出（ＡＳＥ）からポンプ光又はレーザー光を分離するのに使われている。
【０００３】
特に、ＷＤＭはポンプ源からポンプ光を受けて、ポンプ光をＥＤＦに送信する。ポンプ光の応答においては、ＥＤＦはＡＳＥをＷＤＭの中に放って戻す。ＷＤＭはセンサーあるいは例えばジャイロスコープに対するＡＳＥのルートを決める。
ＷＤＭやＡＳＥに関しては、以下の従来文献がある。
【０００４】
【特許文献１】
特開２０００−８２９９７号公報（図１）
【特許文献２】
特開平１１−１１２４３４号公報（図１）
【特許文献３】
特開平１０−９３１７４号公報（図１）
【特許文献４】
特開平８−１１４５２８号公報（図１）
【０００５】
【発明が解決しようとする課題】
あいにく、各種ＷＤＭは比較的に高価であり、レーザー光源（レーザー光ソース）のコストを増加させる。また、ＷＤＭは安定した望ましい動作波長の変りやすさに対して、主要な貢献者である。
したがって、ポンプ光とＡＳＥを分離するためのカップリング機構を用いてＷＤＭの必要性を排除して、比較的に安定した動作波長を持つＡＳＥを提供するＡＳＥソースおよび方法に対する要求がある。
すなわち、本発明はＷＤＭの必要性を排除して、比較的に安定した動作波長を持つＡＳＥを提供するＡＳＥソースおよび方法を提供することを目的とする。
【０００６】
【課題を解決するための手段】
上述の要求は、本発明によるソース、システムおよび方法によって実現され、本発明ではファイバーカップラーのようなカップラー機構がポンプ源からのポンプ光をドープファイバーに送信し、ドープファイバーから増幅誘導放出を送信し、位相条件によってポンプ光と増幅誘導放出をお互いから隔離する。
本発明の１つの態様によれば、ポンプあるいはレーザー光を生成するポンプソースを提供する。すなわち、本発明のソースは、ポンプ光を生成するポンプ源と、ポンプ光に基づいて増幅誘導放出を生成するドープファイバーと、ポンプ源からのポンプ光を受け、ポンプ光をドープファイバーに送信し、ドープファイバーから増幅誘導放出を送信し、位相条件によってポンプ光と増幅誘導放出を隔離するカップラー機構と、を備えている。
【０００７】
ドープ光ファイバー、例えばエルビウムを添加した光ファイバー（希土類添加ファイバー）はポンプ光に基づいて増幅誘導放出（ＡＳＥ）を生成する。
ポンプソースとドープファイバーとの間に挿入されたカップラー機構は、ポンプソースからポンプ光を受け取って、ドープファイバーにポンプ光を伝達し、ドープファイバーからＡＳＥを送信するとともに、位相条件によってポンプ光と増幅誘導放出を隔離する。
【０００８】
カップラー機構は一般的に２ｘ２の融合したドープファイバーによって示されるけれども、どんなカップラーでも本発明では有効に使われる。
特に、カップラー機構は、ポンプ光を受け取る第１のポートと、ポンプ光をドープファイバーに送信するとともにドープファイバーから増幅誘導放出を受ける第２のポートと、ドープファイバーから増幅誘導放出を受け、ポンプ光をドープファイバーに送信する第３のポートと、増幅誘導放出を送信する第４のポートと、を有するファイバーカップラーを備えていてもよい。
【０００９】
反射型ブラッググレーティングのような、フィードバック反射器がドープファイバーによって生成された増幅誘導放出の波長を実質的にロックするために、増幅誘導放出の一部をドープファイバーに戻し反射するようにしてもよい。
また、ファイバーカップラーの第４のポートの中に増幅誘導放出の一部を戻し反射することによって、生成された増幅誘導放出のほとんど全てが相反原理に従って第４のポートを出ていくであろう。
バンドパスフィルターを有し、該バンドパスフィルターは、カップラー機構から増幅誘導放出を受けるとともに、カップラー機構を通過したいかなるポンプ光の送信も取り除くようにしてもよい。
【００１０】
本発明の他の態様によれば、ソースとセンサーを備えてシステムが提供される。ソースは、パラメータを感知するセンサーのために使われる増幅誘導放出を生成する。
ソースは、ポンプ光を生成するポンプ源と、ポンプ光に基づいて増幅誘導放出を生成するドープファイバーと、カップラー機構とを備えている。カップラー機構は、ポンプ源からポンプ光を受け、ポンプ光をドープファイバーに送信し、ドープファイバーから増幅誘導放出を送信し、位相条件によってポンプ光と増幅誘導放出を隔離する。
【００１１】
センサーは、増幅誘導放出を使って動きのようなパラメータを感知する。センサーは、ファイバー型の光ジャイロスコープであってもよい。
本発明の更にもう１つの態様によれば、増幅誘導放出を生成するための方法が提供される。その方法は、以下のステップを含んでいる。
ポンプ光を生成するステップと、ポンプ光をカップラー機構を通してドープ素子に送信するステップと、ポンプ光に基づきドープファイバーによって増幅誘導放出を生成するステップと、カップラー機構を通して増幅誘導放出を送信するステップと、を含んでいる。
【００１２】
この方法は、さらに、ブラッググレーティングによりカップラー機構を通してドープ素子に戻る増幅誘導放出の一部を反射するステップを含んでもよい。
これらと他の特徴および本発明の利点は、以下の詳細な記述、添付図画および付加されたクレームから明らかになるであろう。
【００１３】
【発明の実施の形態】
本発明の望ましい実施の形態の具体的な記述は、図面を参照して明らかにされるであろう。
本発明に従って増幅誘導放出（ＡＳＥ）を生成するためのソース（源）１００が図１に示される。ソース１００において、レーザーダイオード１０２のようなポンプ源は非常に偏光しているポンプの、すなわちレーザーの、１０ｄＢより通常大きい偏光した光を生成する。
レーザーダイオード１０２は、光ファイバー・ピグテイル１０４を備えた一般的に利用可能なファブリーペロー型の半導体レーザーダイオードであってもよい。
【００１４】
光学式ピグテイル１０４は光ファイバー切片１０６に接続され、光ファイバー切片１０６は第１の隔離器、すなわちポンプ隔離器（絶縁器）１１０に接続されてもよい。一般的に利用可能なレーザーダイオードは非偏光維持（低い複屈折）ピグテイルを備えて典型的には供給されているが、本発明では偏光維持（ＰＭ）光ファイバーピグテイル１０４および光ファイバー切片１０６を使用してもよい。
【００１５】
このようなＰＭファイバーの使用は、ポンプ光における偏光ロスの損失を低減し、レーザー光ソース１００における波長安定性を増加させる。ポンプ隔離器１１０は、ドープファイバー１１２あるいは特にエルビウムドープファイバーなどのようなドープ素子によって発生する増幅誘導放出がレーザーダイオード１０２に入ることを禁止する。
【００１６】
技術的には知られているように、エルビウムドープファイバーのためにポンプ光は典型的には１４８０ｎｍ近傍であるべきであり、ＡＳＥの質量中心波長は典型的には１５６０ｎｍ近傍である。しかしながら、どんな適切な波長も使われる材料と要素に基づいて用いることができる。
本発明は、ポンプ光あるいはＡＳＥで使用される波長によっては制限されない。
２×２溶融ファイバーカップラー（結合器）１１４のようなカップラー機構が、レーザーダイオード１０２からポンプ光を受け取り、そしてドープファイバー１１２にポンプ光を送信（伝達）する。
また、本発明に従って他のタイプのカップラー（結合器）が有利に使われるかもしれないことは理解されるべきである。
【００１７】
ファイバーカップラー１１４はポンプ光を分けて、ドープファイバー１１２のそれぞれの各端までポンプ光を導く。ポンプ光に応答して、ドープファイバー１１２はＡＳＥを生成する。ＡＳＥはドープファイバー１１２を出てからグレーティング（格子）（ブラッググレーティング）１１６に向う（流れる）。ファイバーカップラー１１４は位相条件を使ってポンプ光とＡＳＥとをお互いから隔離する。
【００１８】
具体的には、ポンプ光は第１のポート１１８においてファイバーカップラー１１４に入り、第２ポート１２０および第３のポート１２２に分れてドープファイバー１１２に向う。ファイバーカップラー１１４の第３のポート１２２は、ドープファイバー１１２からＡＳＥを受け取る。ＡＳＥは第４のポート１２４を経由してファイバーカップラー１１４を出る。
【００１９】
ファイバーカップラー１１４は、カプリング動作がポンプ光をＡＳＥから隔離するように設計される。言い換えれば、１４８０ｎｍ近傍のポンプ光だけが第１のポート１１８からドープファイバー１１２へ移動することを許される。そして同様に、１５６０ｎｍ近傍のＡＳＥだけが第４のポート１２４の外に第３のポート１２２から移動するのを許される。１４８０ｎｍの波長におけるポンプ光は、長いコヒーレント光（一貫性光）である。
さらに、ドープファイバー１１２はポンプ光に関して干渉計のように作用するループを形成する。したがって、ドープファイバー１１２を刺激するために使われなかった残りの、すなわち未使用のポンプ光のすべては、それが相反と呼ばれる位相条件により入ったときと同じポート（第２のポートあるいは第の３ポート、つまり１２０あるいは１２２のどちらか）の中にカップラー１１４に向けて戻される。
【００２０】
ドープファイバー１１２の中の反対方向伝搬のポンプ光線は、したがって、２つの光線が、これらが入ったポート、すなわち第１のポート１１８においてカップラー１１４を出る場合に限り、建設的に干渉するであろう。第４のポート１２４からポンプ光が出ることはない。理由は、完全な破壊的な干渉に対応する第４のポート１２４においては、それらの間（光線間）では１８０度のミスマッチが存するからである。つまり、１８０度の位相差で光線同士が完全に破壊的に干渉し合うからである。したがって、カップラー１１４とドープファイバー１１２は閉じたループを形成し、そのループは干渉相関的にポンプ光がカップラー１１４の第１のポート１１８、すなわちそれが入ったポートを出るのを案内する。
【００２１】
それ故に、光学式カップラー１１４およびドープファイバー１１２の物理的な性質、すなわち位相条件は、長いコヒーレントなポンプ光が、それが入ったのと同じポートにおいてカップラー１１４を出ることを要求する。
ブロードバンド光であるＡＳＥは、自然発生的な放射によって生成される。独立して、自然発生的に生成される時計回り（ＣＷ）と逆時計回り（ＣＣＷ）の波は、コヒーレントでなく、そして固定された位相関係を持っていない。そのため、ＣＷおよびＣＣＷの光線がコヒーレントであるポンプ光と異なり、ＡＳＥのＣＷおよびＣＣＷの光線はカップラー１１４において再結合するとき干渉せず、各ＡＳＥの光線の半分が各ポート１１８および１２４から出ていく。
【００２２】
もし、ＡＳＥの１部が第１ポート１１８（後ろ向きＡＳＥ）の外に向うならば、多くの方法が後ろ向きＡＳＥを処理するために使用しうる。例えば、ポンプ隔離器１１０はレーシングすることを防ぐためにＡＳＥをふさいで（ブロックして）、減衰させることができる。そして、第４のポート１２４を出るＡＳＥを最適化する。第４のポート１２４を出るＡＳＥは、ブラッググレーティング（格子）１１６のような、フィードバック反射器に供給される。
【００２３】
ここでは、ただ１つのブラッググレーティング（格子）１１６だけが示されているが、本発明によれば、１つのブラッググレーティング（格子）でなくより一層多くのものが連続して実施されるかも知れないことは理解されるべきである。
ブラッググレーティング（格子）１１６、望ましくは反射型ブラッググレーティング（格子）はカップラー１１４を通してＡＳＥの一部をドープファイバー１１２に戻し反射する。反射的なブラッググレーティング（格子）１１６は、例えばＡＳＥの１％についてカップラー１１４に戻すかもしれない。この反射は、定義された振幅、周波数および位相を有するパイロットシグナルとして機能する。このパイロットシグナルはカップラー１１４においてＣＷとＣＣＷの光線に分けられる。
【００２４】
パイロットシグナルは周波数と位相を維持しながら、誘導放射を通して増幅されて自然発生的な放射を減少させる。誘導された放射ＣＷとＣＣＷの光線がカップラー１１４において再び結合するとき、自然発生的な放射と異なり、それらは干渉するであろう。非相反位相シフトがないとき、すべての光はパイロットシグナルが注入されたポートを出る。
パイロットシグナルを発生させるのに使用される反射器の波長の特性に対する反射を仕立てることによって、出力スペクトルは反射器にロックされる。選択的に、反射器１１６の代わりに、該パイロットシグナルが伝達転送を行うものであっても良い。
【００２５】
上に記述されたように同じ機構（メカニズム）を通して、信号の強度は増幅されて、信号が受け取られた同じポートから再送信される。第２の、すなわち出力隔離器１２６は光がソース１００の外からドープファイバー１１２の中に伝達されるのを阻止する。
また、いくつかの条件のもとではポンプ光の小さな部分がカップラー１１４を通して洩れるので、バンドパスフィルタ１２８がＡＳＥからポンプ光を除くのに設けられる。ＡＳＥ波長を調整するためにバンドパスフィルタ１２８を使うことができる。
代わりに、あるいは加えて、ブロッキング・グレーティング（格子）を、カップラー１１４を通して漏れるポンプ光を塞ぐ（ブロック）するために設けてもよい。
【００２６】
次に、本発明の他の実施の形態について説明する。
図２は、システム２００を示す図である。システム２００はソース１００と光ファイバージャイロスコープ２０２のようなセンサーとを備えている。
明細書における記述の明瞭さと容易さのために、図１と同様の要素には同一番号を付して図２を説明する。
光ファイバージャイロスコープ２０２は、米国特許第５，２６０，７６８号明細書に開示のように発明者「カードバ」等による「低い複屈折の光ファイバージャイロジャイロスコープおよびＰＭファイバーネットワーク」という発明と同様のタイプでもよい。
【００２７】
光ファイバージャイロスコープ２０２は、センサコイル２０６に接続された集積光チップ２０４を備えた状態で示されている。ソース１００からのＡＳＥは集積光チップ２０４に供給される。集積光チップ２０４からのＡＳＥは、周知のように、反対伝搬方向においてセンサコイル２０６に導かれ、集積光チップ２０４を通してフォト検出器２０８に戻るように導かれる。
【００２８】
センサーコイル２０６の回転は、サグナック効果に従って（図示略）電子を使って検出される。光ファイバージャイロスコープ２０２はセンサコイル２０６の回転をモニターすることによって動きを感知する。
なお、光ファイバージャイロスコープ２０２が図示されているが、ＡＳＥで使用する望ましいパラメータを感知するためのどんなセンサーでも、本発明では有利に使用できる。
光ファイバージャイロスコープ２０２へのＡＳＥの比較的に安定した供給を提供することによって、エラーの本質的な根源、特にスケール要因エラーについてはジャイロスコープの回転測定値が減少するか、あるいは排除されることになる。
【００２９】
光ファイバージャイロスコープを使用した背景が示されているけれども、本発明のソース１００はいかなる状態でも使用できる。すなわち、比較的に一貫した質量中心波長をずっと生成して、ＡＳＥにおいて最小量のポンプ光を供給することが望まれている状態でも、本発明のソース１００は使用できる。
本発明は遠距離通信信号（テレコミュニケーションシグナル）のような入力信号の増幅で有利に活用することができる。例えば、ソース１００は入力信号の送信機と入力信号の意図された受信機との間のファイバーの中にＴ接続によって接続することができる。
【００３０】
この実用化においては、隔離器１２６は送信機からの入力信号がカップラー１１４の第４のポート１２４に入るのを許容するために取り除かれる。およそＡＳＥの波長にある入力信号は、上述したように、相反原理のために、ドープファイバー１１２によって増幅され、第４のポート１２４から再送信される。
増幅された入力信号は、それからファイバーの中に戻すように注入され、そして意図した所定の受信機に送られる。
【００３１】
本発明は、様々な変更や代替形態に適用できるものであるが、特定の実施の形態が一例として図面によって示され、ここに詳細に記述されているのである。
例えば、反射型のブラッググレーティング（格子）を第１のポート１１８とレーザーダイオード１０２の間に設け、第１のポート１１８を通して戻し反射されたポンプ光を、ドープファイバー１１２の中に戻し反射するようにしてもよい。
また、反射的なブラッググレーティング（格子）はポンプ光の波長をロックするためにレーザーダイオード１０２からポンプ光を受け取って、レーザーダイオード１０２にポンプ光の１部を反射して戻すように配置されていてもよい。
【００３２】
したがって、本発明は開示された特定の形態に限定することを意図したものでないことを理解すべきである。
むしろ、本発明は以下の付加されたクレームによって定義されるように、発明の精神と範囲から導かれるすべての変更形態、均等物および代替手段についてカバーできるものである。
【図面の簡単な説明】
【図１】  本発明の増幅誘導放出を生成するためのカップラー機構に使用されるソースの構成図である。
【図２】  本発明のソースとセンサーを有する他のシステムを示す構成図である。
【符号の説明】
１００  ソース（源：レーザー光ソース）
１０２  レーザーダイオード
１１０  隔離器
１１２  ドープファイバー
１１４  ファイバーカップラー（結合器）
１１６  グレーティング（格子）
１１８  第１のポート
１２０  第２ポート
１２２  第３のポート
１２４  第４のポート
１２８  バンドパスフィルタ
２００  システム
２０２  光ファイバージャイロスコープ
２０４  集積光チップ
２０６  センサコイル
【図１】
0004705314.tif 000002
【図２】
0004705314.tif 000003